(57)【特許請求の範囲】
【請求項１】
少なくとも２つ以上の光源より射出された複数の光ビームを１つの偏向手段で振り分けて、２組の光ビームが副走査方向に対して互いに反対の方向に走査されるように偏向走査し、これらの光ビームにより、副走査方向に沿って配置された複数の感光体をそれぞれ照射して多色画像を形成する多色画像形成装置において、前記複数の感光体における主走査方向の画像書き込み開始位置の決定に用いられ画像形成領域外に設けられて前記偏向手段からの複数の光ビームをそれぞれ検知する複数の同期検知センサと、前記感光体の走査終了端に設けられ前記偏向手段からの光ビームを検知する終端検知センサと、この終端検知センサからの検知信号及び前記同期検知センサからの検知信号により前記偏向手段からの光ビームが前記同期検知センサから前記終端検知センサまで走査される走査時間を計数する走査時間計測手段と、この走査時間計測手段で計測した走査時間に相当するカウンタ値ｘと、基準値ｘ0とにより主走査方向の書き込み開始位置のずれ量（ｘ−ｘ0）を計算するずれ量演算手段と、このずれ量演算手段で計算されたずれ量に基づいて、前記走査時間を計数した画像形成ステーションとは反対側の画像形成ステーションにおける画像データの読み出し開始タイミングをシフトする読み出し開始タイミングシフト手段とを具備することを特徴とする多色画像形成装置。
【請求項２】
請求項１記載の多色画像形成装置において、前記読み出し開始タイミングシフト手段は、前記ずれ量演算手段で計算されたずれ量に基づいて、前記走査時間を計数した画像形成ステーションと、該画像形成ステーションとは反対側の画像形成ステーションにおける画像データの読み出し開始タイミングをシフトすることを特徴とする多色画像形成装置。
【請求項３】
請求項１記載の多色画像形成装置において、前記読み出し開始タイミングシフト手段により各読み出し開始タイミングをシフトして書き込み開始位置を調整した後に前記走査時間計測手段により前記走査時間を計測し、その計測値を画像のずれ量を計算するための基準値として設定することを特徴とする多色画像形成装置。
【発明の詳細な説明】
【０００１】
【発明の属する技術分野】
本発明は、複数の光ビームにより複数の感光体に潜像を形成し、これらの潜像を現像した後に重ね合わせて多色画像を形成するデジタル複写機、レーザプリンタなどの多色画像形成装置に関する。
【０００２】
【従来の技術】
従来より、記録すべき画像データによりそれぞれ変調した複数のレーザビームを複数の偏向器によりそれぞれ走査し、紙搬送方向に沿って配置された４つの感光体を帯電器により均一に帯電した後に上記複数の偏向器からの複数のレーザビームでそれぞれ露光して静電潜像を形成し、これらの静電潜像を現像器により現像して異なる色の画像とし、これらの画像を重ね合わせて多色画像（カラー画像）を形成するデジタル複写機やレーザプリンタが実用化されている。
【０００３】
また、１つの感光体を帯電器により均一に帯電して１つのレーザビームで走査することにより１つの静電潜像を形成してこれを現像し、このような動作を順次に各色について繰り返すことで、複数色の画像を順次に形成し、この複数色の画像を重ね合わせて多色画像を形成するデジタル複写機やレーザプリンタが実用化されている。
【０００４】
前者は、後者に比較して高速に多色画像を形成することができる反面、各レーザビームに対応した複数の走査装置が必要になり、装置が大掛かりなっていた。そこで、特開平６ー１７１１５７号公報に記載されているように各偏向器で２つずつのレーザビームを互いに反対の方向に偏向走査する多色画像形成装置が提案されている。
【０００５】
また、少なくとも２つ以上のレーザ光源より射出されたレーザビームを１つの偏向器により偏向走査し、副走査方向に沿って配置された複数の感光体に偏向器からの少なくとも２つ以上のレーザビームを照射して多色画像を形成する多色画像形成装置が提案されている。
【０００６】
図６はその一例を示す。この多色画像形成装置においては、光源としてレーザダイオード（以下ＬＤという）からなるレーザ光源１〜４が用いられ、このＬＤ１〜４は記録すべき各色の画像データにより光源変調手段としてのＬＤ変調部で変調されて光ビーム（レーザビーム）を射出する。このＬＤ１〜４から射出されたレーザビームは、コリメートレンズ５〜８及びシリンダレンズ９〜１２を通過し、１つの偏向器１３により同時に偏向走査される。
【０００７】
この偏向器１３は、ポリゴンミラーからなる回転多面鏡が用いられ、モータからなる駆動部により回転駆動される。このとき、ＬＤ１〜４からのレーザビームはポリゴンミラー１３の２つの面にそれぞれ２ビームずつ入射し、すなわち、ＬＤ１、２からの１組のレーザビームがポリゴンミラー１３の１つの面に入射してＬＤ３、４からの他の１組のレーザビームがポリゴンミラー１３の他の１つの面に入射する。
【０００８】
ポリゴンミラー１３は、その２組のレーザビームを副走査方向に対して互いに反対の方向にそれぞれ反射する。ポリゴンミラー１３で反射されたレーザビームはそれぞれｆθ特性を有する結像素子としての凹曲面鏡からなるｆθミラー１４、１５に入射するが、このｆθミラー１４、１５は光軸をずらした上下２層に構成され、ＬＤ１、３からのレーザビームがｆθミラー１４、１５の上の層でそれぞれ反射されてＬＤ２、４からのレーザビームがｆθミラー１４、１５の下の層でそれぞれ反射される。
【０００９】
ｆθミラー１４、１５で反射されたレーザビームは、ミラー１６〜１９により反射され、面倒れ補正系をなすトロイダルレンズ２０〜２３を透過する。トロイダルレンズ２０、２３からのレーザビームはミラー２４、２５で反射されて感光体２６、２９の面上にスポット状に結像され、トロイダルレンズ２１、２２からのレーザビームは感光体２７、２８の面上にスポット状に結像される。この時、感光体２６、２７をレーザビームで走査する方向と、感光体２８、２９をレーザビームで走査する方向とは、逆方向となる。
【００１０】
感光体２６〜２９は、例えばドラム状の感光体が用いられて副走査方向に沿って配置され、駆動部により回転駆動され、帯電手段により均一に帯電された後に上記レーザビームの照射で露光されて画像が書き込まれることにより各色の静電潜像がそれぞれ形成される。この感光体２６〜２９上の静電潜像は、現像装置により各色のトナーで現像されて各色のトナー像となり、給紙装置から給送された転写紙からなる転写材上に転写手段により重ね合わせて転写されることでフルカラー画像が形成される。
【００１１】
この転写紙上のフルカラー画像は定着装置により定着され、また、感光体２６〜２９はトナー像転写後にクリーニング装置によりクリーニングされて次の画像形成動作に備える。
【００１２】
このように、感光体２６〜２９上に各色のトナー像を形成する感光体２６〜２９、帯電手段、ＬＤ１〜４、コリメートレンズ５〜８、シリンダレンズ９〜１２、ｆθミラー１４、１５、ミラー１６〜１９、トロイダルレンズ２０〜２３、ミラー２４、２５、現像装置、クリーニング装置は、各色の画像を形成する画像形成ステーションを構成し、ポリゴンミラー１３は各画像形成ステーションに用いられる。
【００１３】
各色の形成画像が主走査方向に色ずれを起こさないようにホトダイオードなどの同期センサ３０〜３３が画像形成領域外で各感光体２６〜２９の結像面と光学的に同位置に配置され、この同期センサ３０〜３３はトロイダルレンズ２０〜２３からのレーザビームを検知して同期検知信号を出力する。各色の画像データはそれぞれ同期センサ３０〜３３からの同期検知信号に同期して上記ＬＤ変調部へ転送され、感光体２６〜２９上の主走査の書き込み開始位置が合わせられる。
【００１４】
【発明が解決しようとする課題】
上記図６に示した多色画像形成装置においては、転写紙を１回通過させるだけで多色画像を形成でき、しかも、偏向手段はポリゴンミラー１３を１つしか使っていないので、装置を小型で、しかも低価で作ることができるという利点がある。しかしながら、感光体２６、２７をレーザビームで走査する方向と、感光体２８、２９をレーザビームで走査する方向とが互いに逆方向であるので、たとえ、感光体２６〜２９上の主走査方向の書き込み開始位置を合わせたとしても、温度等の環境の変化によりｆθミラー１４、１５の曲率及びＬＤ１〜４の波長が変化して結果的にレーザビームの走査速度が変わったときに、形成画像の倍率が変わり、感光体２６、２７と感光体２８、２９とで画像のずれが大きくなり、多色画像の色ずれが生ずる。
【００１５】
本発明は、色ずれの無い多色画像を形成することができ、画像のずれが片側に片寄らないようにすることができ、温度変化による画像の倍率変動をも補正することができ、各装置に最適な、画像のずれ量を計算するための基準値を迅速に設定することができる多色画像形成装置を提供することを目的とする。
【００１６】
【課題を解決するための手段】
上記目的を達成するため、請求項１記載の発明は、少なくとも２つ以上の光源より射出された複数の光ビームを１つの偏向手段で振り分けて、２組の光ビームが副走査方向に対して互いに反対の方向に走査されるように偏向走査し、これらの光ビームにより、副走査方向に沿って配置された複数の感光体をそれぞれ照射して多色画像を形成する多色画像形成装置において、前記複数の感光体における主走査方向の画像書き込み開始位置の決定に用いられ画像形成領域外に設けられて前記偏向手段からの複数の光ビームをそれぞれ検知する複数の同期検知センサと、前記感光体の走査終了端に設けられ前記偏向手段からの光ビームを検知する終端検知センサと、この終端検知センサからの検知信号及び前記同期検知センサからの検知信号により前記偏向手段からの光ビームが前記同期検知センサから前記終端検知センサまで走査される走査時間を計数する走査時間計測手段と、この走査時間計測手段で計測した走査時間に相当するカウンタ値ｘと、基準値ｘ0とにより主走査方向の書き込み開始位置のずれ量（ｘ−ｘ0）を計算するずれ量演算手段と、このずれ量演算手段で計算されたずれ量に基づいて、前記走査時間を計数した画像形成ステーションとは反対側の画像形成ステーションにおける画像データの読み出し開始タイミングをシフトする読み出し開始タイミングシフト手段とを具備するものであり、色ずれの無い多色画像を形成することができる。
【００１７】
請求項２記載の発明は、請求項１記載の多色画像形成装置において、前記読み出し開始タイミングシフト手段は、前記ずれ量演算手段で計算されたずれ量に基づいて、前記走査時間を計数した画像形成ステーションと、該画像形成ステーションとは反対側の画像形成ステーションにおける画像データの読み出し開始タイミングをシフトするものであり、画像のずれが片側に片寄らないようにすることができる。
【００１９】
請求項３記載の発明は、請求項１記載の多色画像形成装置において、前記読み出し開始タイミングシフト手段により各読み出し開始タイミングをシフトして書き込み開始位置を調整した後に前記走査時間計測手段により前記走査時間を計測し、その計測値を画像のずれ量を計算するための基準値として設定するものであり、各装置に最適な、画像のずれ量を計算するための基準値を迅速に設定することができる。
【００２０】
【発明の実施の形態】
図４は本発明の第１実施形態の一部を示す。この第１実施形態は、請求項１に係る発明の実施形態である。この第１実施形態では、前述した図６に示す多色画像形成装置において、感光体２６上の主走査方向の走査終了端に終端検知センサ３４が配置され、この終端検知センサ３４はトロイダルレンズ２０からのレーザビームをミラー２４を介して検知して終端検知信号を出力する。なお、終端検知センサ３４は、感光体２６の画像形成領域外で、主走査方向の走査終了側の任意の位置に配置してもよい。
【００２１】
図１は第１実施形態の一部を示し、図３は第１実施形態の動作フローを示す。走査時間計測手段としてのカウンタ３５は、同期検知センサ３０からの同期検知信号が入力されてから終端検知センサ３４からの終端検知信号が入力されるまでの間に基準クロックをカウントすることによって、ＬＤ１からのレーザビーム（以下ビーム１という）が同期検知センサ３０から終端検知センサ３４まで走査する走査時間をカウントする。
【００２２】
ずれ量演算手段を構成するずれ量演算回路３６は、ビーム１が同期検知センサ３０から終端検知センサ３４まで走査する走査時間に相当するカウンタ３５のカウント値ｘと基準値ｘ0との差を演算する。このずれ量演算回路３６で算出したカウンタ３５のカウント値と基準値との差が０でない時には、図２に示すようにビーム１の走査幅（同期検知センサ３０から終端検知センサ３４までの走査幅）が変動し、ＬＤ１、２からのレーザビーム（以下ＬＤ２からのレーザビームをビーム２という）と、ＬＤ３、４からのレーザビーム（以下ビーム３、４という）との間に走査時間としてΔｔのずれが生じて基準クロックとしてΔｘクロックのずれが生じ、画像のずれが生じていることを示している。
【００２３】
そこで、シフト回路３７は、ずれ量演算回路３６で算出したカウンタ３５のカウント値と基準値との差を基にしてＬＤ３用の書込信号発生回路３８からの書込開始信号を、ビーム１、２の書き込み開始位置とビーム３の書き込み終端位置とが合うようにシフトし、例えば、図２（ｃ）に示すように書込信号発生回路３８からの書込開始信号を、ビーム１、２の書き込み開始位置とビーム３の書き込み終端位置とが合うようにΔｘだけ早める。
【００２４】
さらに、シフト回路３７は、ずれ量演算回路３６で算出したカウンタ３５のカウント値と基準値との差を基にしてＬＤ４用の書込信号発生回路からの書込開始信号を、ビーム１、２の書き込み開始位置とビーム４の書き込み終端位置とが合うようにシフトし、例えば、図２（ｃ）に示すようにＬＤ４用の書込信号発生回路からの書込開始信号を、ビーム１、２の書き込み開始位置とビーム４の書き込み終端位置とが合うようにΔｘだけ早める。
【００２５】
書込信号発生回路３８は、同期検知センサ３２からの同期検知信号に同期してＬＤ３用の書込開始信号をシフト回路３７へ出力すると共に、基準クロックに同期して書込クロックをシフト回路３７及びラインバッファ３９へ出力する。ラインバッファ３９は、１ライン分ずつ画像データが書き込まれ、シフト回路３７からのＬＤ３用の書込開始信号により書込信号発生回路３８からの書込クロックに同期して画像データの読み出しを開始する。ラインバッファ３９から読み出した画像データはビデオインターフェイス（Ｉ／Ｆ）を介してＬＤ３用のＬＤ変調部へ転送され、このＬＤ変調部がラインバッファ３９からの画像データによりＬＤ３を変調する。
【００２６】
この場合、シフト回路３７はずれ量演算回路３６で算出したカウンタ３５のカウント値と基準値との差を基にして書込信号発生回路３８からのＬＤ３用の書込開始信号を、ビーム１、２の書き込み開始位置とビーム３の書き込み終端位置とが合うようにΔｘだけ早めるが、書込信号発生回路３８からのＬＤ３用の書込開始信号をラインバッファ３９のリードイネーブル信号としてシフトレジスタ等からなるシフト回路３７によりそのリードイネーブル信号をずれ量演算回路３６の算出値に基づいてビーム１、２の書き込み開始位置とビーム３の書き込み終端位置とが合うようにシフトさせてもよい。また、シフト回路３７は、ラインバッファ３９の読み出しアドレスをビーム１、２の書き込み開始位置とビーム３の書き込み終端位置とが合うようにずれ量演算回路３６の算出値に基づいてシフト分だけ加算又は減算させるようにしてもよい。
【００２７】
また、図示しないが、同様に、ＬＤ４用の書込信号発生回路は、同期検知センサ３３からの同期検知信号に同期してＬＤ４用の書込開始信号をシフト回路３７へ出力すると共に、基準クロックに同期して書込クロックをシフト回路３７及びＬＤ４用のラインバッファへ出力する。ＬＤ４用のラインバッファは、１ライン分ずつ画像データが書き込まれ、シフト回路３７からのＬＤ４用の書込開始信号によりＬＤ４用の書込信号発生回路からの書込クロックに同期して画像の読み出しを開始する。ＬＤ４用のラインバッファから読み出した画像データはビデオＩ／Ｆを介してＬＤ４用のＬＤ変調部へ転送され、このＬＤ変調部がＬＤ４用のラインバッファからの画像データによりＬＤ４を変調する。
【００２８】
また、同様に、ＬＤ１用の書込信号発生回路は、ＬＤ１用のラインバッファに対して、同期検知センサ３０からの同期検知信号に同期して書込開始信号を出力すると共に、基準クロックに同期して書込クロックを出力する。ＬＤ１用のラインバッファは、１ライン分ずつ画像データが書き込まれ、ＬＤ１用の書込信号発生回路からの書込開始信号によりＬＤ１用の書込信号発生回路からの書込クロックに同期して画像の読み出しを開始する。ＬＤ１用のラインバッファから読み出した画像データはビデオＩ／Ｆを介してＬＤ１用のＬＤ変調部へ転送され、このＬＤ変調部がＬＤ１用のラインバッファからの画像データによりＬＤ１を変調する。
【００２９】
同様に、ＬＤ２用の書込信号発生回路は、ＬＤ２用のラインバッファに対して、同期検知センサ３１からの同期検知信号に同期して書込開始信号を出力すると共に、基準クロックに同期して書込クロックを出力する。ＬＤ２用のラインバッファは、１ライン分ずつ画像データが書き込まれ、ＬＤ２用の書込信号発生回路からの書込開始信号によりＬＤ２用の書込信号発生回路からの書込クロックに同期して画像データの読み出しを開始する。ＬＤ２用のラインバッファから読み出した画像データはビデオＩ／Ｆを介してＬＤ２用のＬＤ変調部へ転送され、このＬＤ変調部がＬＤ２用のラインバッファからの画像データによりＬＤ２を変調する。
【００３０】
このように、この実施形態は、少なくとも２つ以上の光源としてのＬＤ１〜４より射出された複数の光ビームを１つの偏向手段としてのポリゴンミラー１３で振り分けて、２組の光ビームが副走査方向に対して互いに反対の方向に走査されるように偏向走査し、これらの光ビームにより、副走査方向に沿って配置された複数の感光体２６〜２９をそれぞれ照射して多色画像を形成する多色画像形成装置において、前記複数の感光体２６〜２９における主走査方向の画像書き込み開始位置の決定に用いられ画像形成領域外に設けられて前記偏向手段１３からの複数の光ビームをそれぞれ検知する複数の同期検知センサ３０〜３３と、前記感光体２６〜２９の走査終了端に設けられ前記偏向手段１３からの光ビームを検知する終端検知センサ３４と、この終端検知センサ３４からの検知信号及び前記同期検知センサ３０からの検知信号により前記偏向手段１３からの光ビームが前記同期検知センサ３０から前記終端検知センサ３４まで走査される走査時間を計数する走査時間計測手段としてのカウンタ３５と、この走査時間計測手段３５で計測した走査時間と、基準となる走査時間とにより書き込み走査幅のずれ量を計算するずれ量演算手段としてのずれ量演算回路３６と、このずれ量演算手段３６で計算されたずれ量に基づいて、前記走査時間を計数した画像形成ステーションとは反対側の画像形成ステーションにおける画像データの読み出し開始タイミングをシフトする読み出し開始タイミングシフト手段としてのシフト回路３７とを具備するので、温度の変化により走査幅が変わっても画像のずれが小さくなり、色ずれの無い多色画像を形成することができる。
【００３１】
本発明の第２実施形態は、請求項２に係る発明の一実施形態である。上記第１実施形態ではビーム３、ビーム４の書き込み開始位置をシフトしたが、第２実施形態では、図５に示すように、上記第１実施形態において、全てのビームを上記シフト量Δｘの１／２だけシフトさせ、つまり、全てのビームの書き込み開始位置をΔｘ／２だけ早める。
【００３２】
すなわち、シフト回路３７は、書込信号発生回路３８からの書込開始信号をΔｘ／２だけ早め、かつ、ＬＤ４用の書込信号発生回路からの書込開始信号をΔｘ／２だけ早めてＬＤ４用のラインバッファへ出力する。また、ＬＤ１用の書込信号発生回路からの書込開始信号はシフト回路３７によりΔｘ／２だけ早められてからＬＤ１用のラインバッファへ出力され、ＬＤ２用の書込信号発生回路からの書込開始信号はシフト回路３７によりΔｘ／２だけ早められてからＬＤ２用のラインバッファへ出力される。この場合、全てのビームの書き込み開始位置はシフト量が左右均等になるので、各色の画像は転写紙の片側にずれることなく重ね合わされる。
【００３３】
この第２実施形態は、請求項２に係る発明の一実施形態であって、請求項１記載の多色画像形成装置において、前記読み出し開始タイミングシフト手段３７は、前記ずれ量演算手段３６で計算されたずれ量に基づいて、前記走査時間を計数した画像形成ステーションと、該画像形成ステーションとは反対側の画像形成ステーションにおける画像データの読み出し開始タイミングをシフトするので、画像のずれが片側に片寄らないようにすることができ、多色画像の色ずれを少なくし、画像の転写紙上での位置を温度等の変化に対して一定に保ことができる。
【００３８】
本発明の第３実施形態は、請求項３に係る発明の一実施形態である。この第３実施形態では、上記第１実施形態において、ビーム１が同期検知センサ３０から終端検知センサ３４まで走査する走査時間に相当するカウンタ３５のカウント値ｘをラッチするラッチ回路が付加される。各画像形成ステーションにおいて、書き込み開始位置を調整した後に、走査時間をカウンタ３５で計測して上記ラッチ回路でラッチする。このラッチ回路でラッチしたデータは上記基準値としてずれ量演算回路３６に入力される。
【００３９】
このようにすれば、各装置毎の最適な基準値を簡単に設定することができる。ずれ量演算回路３６によるずれ量演算は画像書き込み開始前に行い、画像書き込み開始位置の補正量を確定したら、画像書き込み時はその補正値を保持するようにする。
【００４０】
この第３実施形態は、請求項３に係る発明の一実施形態であって、請求項１記載の多色画像形成装置において、前記読み出し開始タイミングシフト手段３７により各読み出し開始タイミングをシフトして書き込み開始位置を調整した後に前記走査時間計測手段３５により前記走査時間を計測し、その計測値を画像のずれ量を計算するための基準値として設定するので、各装置に最適な、画像のずれ量を計算するための基準値を迅速に設定することができる。
【００４１】
なお、上記第１実施形態ではビーム１の書き込み系（これを含む画像形成ステーション１）と対向するビーム３、４の書き込み開始位置を早めたが、ビーム１、ビーム２の書き込み開始位置を遅らせることも可能である。また、画像形成ステーション１のみで走査時間のずれを検出してこれを各画像形成ステーションの書き込み開始位置のずれ補正に共用したが、各画像形成ステーションで個別に走査時間のずれを検出してもよい。
【００４２】
【発明の効果】
以上のように請求項１記載の発明によれば、少なくとも２つ以上の光源より射出された複数の光ビームを１つの偏向手段で振り分けて、２組の光ビームが副走査方向に対して互いに反対の方向に走査されるように偏向走査し、これらの光ビームにより、副走査方向に沿って配置された複数の感光体をそれぞれ照射して多色画像を形成する多色画像形成装置において、前記複数の感光体における主走査方向の画像書き込み開始位置の決定に用いられ画像形成領域外に設けられて前記偏向手段からの複数の光ビームをそれぞれ検知する複数の同期検知センサと、前記感光体の走査終了端に設けられ前記偏向手段からの光ビームを検知する終端検知センサと、この終端検知センサからの検知信号及び前記同期検知センサからの検知信号により前記偏向手段からの光ビームが前記同期検知センサから前記終端検知センサまで走査される走査時間を計数する走査時間計測手段と、この走査時間計測手段で計測した走査時間に相当するカウンタ値ｘと、基準値ｘ0とにより主走査方向の書き込み開始位置のずれ量（ｘ−ｘ0）を計算するずれ量演算手段と、このずれ量演算手段で計算されたずれ量に基づいて、前記走査時間を計数した画像形成ステーションとは反対側の画像形成ステーションにおける画像データの読み出し開始タイミングをシフトする読み出し開始タイミングシフト手段とを具備するので、温度の変化により走査幅が変わっても画像のずれが小さくなり、色ずれの無い多色画像を形成することができる。
【００４３】
請求項２記載の発明によれば、請求項１記載の多色画像形成装置において、前記読み出し開始タイミングシフト手段は、前記ずれ量演算手段で計算されたずれ量に基づいて、前記走査時間を計数した画像形成ステーションと、該画像形成ステーションとは反対側の画像形成ステーションにおける画像データの読み出し開始タイミングをシフトするので、画像のずれが片側に片寄らないようにすることができ、多色画像の色ずれを少なくし、画像記録位置を温度等の変化に対して一定に保ことができる。
【００４５】
請求項３記載の発明によれば、請求項１記載の多色画像形成装置において、前記読み出し開始タイミングシフト手段により各読み出し開始タイミングをシフトして書き込み開始位置を調整した後に前記走査時間計測手段により前記走査時間を計測し、その計測値を画像のずれ量を計算するための基準値として設定するので、各装置に最適な、画像のずれ量を計算するための基準値を迅速に設定することができる。
【図面の簡単な説明】
【図１】  本発明の第１実施形態の一部を示すブロック図である。
【図２】  同第１実施形態を説明するための図である。
【図３】  同第１実施形態の動作フローを示すフローチャートである。
【図４】  同第１実施形態の一部を示す斜視図である。
【図５】  本発明の第２実施形態を説明するための図である。
【図６】  従来の多色画像形成装置の一部を示す斜視図である。
【符号の説明】
１〜４      ＬＤ
１３      ポリゴンミラー
２６〜２９      感光体
３０〜３３      同期検知センサ
２４      終端検知センサ
３５      カウンタ
３６      ずれ量演算回路
３７      シフト回路
３８      書込信号発生回路
３９      ラインバッファ
【図１】
0003998760.tif 000002
【図２】
0003998760.tif 000003
【図３】
0003998760.tif 000004
【図４】
0003998760.tif 000005
【図５】
0003998760.tif 000006
【図６】
0003998760.tif 000007